(57)【要約】【課題】  ＰＣとＭＦＰとを含めたシステム全体で、省エネスタンバイ時の消費電力を削減し、ＭＦＰ電源寿命を増加することができる画像処理装置を提供することを目的とするものである。【解決手段】  省エネスタンバイへの移行中に、ＵＳＢバスパワーを供給可能であれば、ＵＳＢバスパワーによって、起動要因監視部と省エネスタンバイ電圧制御部とを駆動し、ＵＳＢバスパワーを供給できなければ、メイン電源からの電圧によって、起動要因監視部と省エネスタンバイ電圧制御部とを駆動するように、メイン電源オンオフ制御部への供給電圧と起動要因監視部の電圧供給部への供給電圧とを、省エネスタンバイ時電圧制御部に制御させ、また、省エネスタンバイ時に、省エネスタンバイ状態から通常動作状態への復帰要因を、起動要因監視部が検知すると、メイン電源からの電圧によって、画像処理装置を駆動する通常状態へ移行する。【選択図】  図１
2005278110.tif 000002
【特許請求の範囲】
【請求項１】
メイン電源をオンまたはオフするメイン電源オンオフ制御部と；
省エネスタンバイ時に、省エネスタンバイ状態から通常動作状態への復帰要因を検知する起動要因監視部と；
電源供給を受けることが可能なＵＳＢ  Ｉ／Ｆ内で、ＵＳＢバスパワーを検知するＵＳＢバスパワー検知部と；
電圧供給する対象として、上記起動要因監視部、または、省エネスタンバイ時に動作する部分を、選択する省エネスタンバイ時電圧制御部と；
省エネスタンバイへの移行中に、上記ＵＳＢバスパワーを供給可能であれば、上記ＵＳＢバスパワーによって、上記起動要因監視部と上記省エネスタンバイ電圧制御部とを駆動し、一方、上記ＵＳＢバスパワーを供給できなければ、上記メイン電源からの電圧によって、上記起動要因監視部と上記省エネスタンバイ電圧制御部とを駆動するように、上記ＵＳＢバスパワー検知部からの信号に応じて、上記メイン電源オンオフ制御部への供給電圧と上記起動要因監視部の電圧供給部への供給電圧とを、上記省エネスタンバイ時電圧制御部に制御させ、また、省エネスタンバイ時に、省エネスタンバイ状態から通常動作状態への復帰要因を、上記起動要因監視部が検知すると、上記メイン電源からの電圧によって、画像処理装置を駆動する通常状態へ移行する移行手段と；
を有することを特徴とする画像処理装置。
【請求項２】
請求項１において、
省エネスタンバイ移行時または移行中に、上記ＵＳＢバスパワーを供給可能であれば、上記ＵＳＢバスパワーによって、上記省エネスタンバイ電圧制御部を駆動し、しかも、設定に応じて、上記起動要因監視部の一部を駆動し、上記起動要因監視部の一部への電圧を遮断することを特徴とする画像処理装置。
【請求項３】
請求項１または請求項２において、
上記メイン電源オンオフ制御部は、商用交流電源入力をオンまたはオフする手段であることを特徴とする画像処理装置。
【請求項４】
請求項１または請求項２において、
上記メイン電源オンオフ制御部は、バッテリ電源入力をオンまたはオフする手段であることを特徴とする画像処理装置。
【請求項５】
メイン電源をオンまたはオフするメイン電源オンオフ制御段階と；
省エネスタンバイ時に、省エネスタンバイ状態から通常動作状態への復帰要因を検知する起動要因監視段階と；
電源供給を受けることが可能なＵＳＢ  Ｉ／Ｆ内で、ＵＳＢバスパワーを検知するＵＳＢバスパワー検知段階と；
上記起動要因監視部に供給する電圧と、省エネスタンバイ時に動作する部分に供給する電圧とを、選択する省エネスタンバイ時電圧制御段階と；
省エネスタンバイへの移行中に、上記ＵＳＢバスパワーを供給可能であれば、上記ＵＳＢバスパワーによって、上記起動要因監視部と上記省エネスタンバイ電圧制御部とを駆動し、一方、上記ＵＳＢバスパワーを供給できなければ、上記メイン電源からの電圧によって、上記起動要因監視部と上記省エネスタンバイ電圧制御部とを駆動するように、上記ＵＳＢバスパワー検知部からの信号に応じて、上記メイン電源オンオフ制御部への供給電圧と上記起動要因監視部の電圧供給部への供給電圧とを、上記省エネスタンバイ時電圧制御部に制御させ、また、省エネスタンバイ時に、省エネスタンバイ状態から通常動作状態への復帰要因を、上記起動要因監視部が検知すると、上記メイン電源からの電圧によって、画像処理装置を駆動する通常状態へ移行する移行段階と；
を有することを特徴とする画像処理装置の制御方法。
【請求項６】
メイン電源をオンまたはオフするメイン電源オンオフ制御手順と；
省エネスタンバイ時に、省エネスタンバイ状態から通常動作状態への復帰要因を検知する起動要因監視手順と；
電源供給を受けることが可能なＵＳＢ  Ｉ／Ｆ内で、ＵＳＢバスパワーを検知するＵＳＢバスパワー検知手順と；
電圧供給する対象として、上記起動要因監視部、または、省エネスタンバイ時に動作する部分を、選択する省エネスタンバイ時電圧制御手順と；
省エネスタンバイへの移行中に、上記ＵＳＢバスパワーを供給可能であれば、上記ＵＳＢバスパワーによって、上記起動要因監視部と上記省エネスタンバイ電圧制御部とを駆動し、一方、上記ＵＳＢバスパワーを供給できなければ、上記メイン電源からの電圧によって、上記起動要因監視部と上記省エネスタンバイ電圧制御部とを駆動するように、上記ＵＳＢバスパワー検知部からの信号に応じて、上記メイン電源オンオフ制御部への供給電圧と上記起動要因監視部の電圧供給部への供給電圧とを、上記省エネスタンバイ時電圧制御部に制御させ、また、省エネスタンバイ時に、省エネスタンバイ状態から通常動作状態への復帰要因を、上記起動要因監視部が検知すると、上記メイン電源からの電圧によって、画像処理装置を駆動する通常状態へ移行する移行手順と；
コンピュータに実行させるプログラム。
【請求項７】
メイン電源をオンまたはオフするメイン電源オンオフ制御手順と；
省エネスタンバイ時に、省エネスタンバイ状態から通常動作状態への復帰要因を検知する起動要因監視手順と；
電源供給を受けることが可能なＵＳＢ  Ｉ／Ｆ内で、ＵＳＢバスパワーを検知するＵＳＢバスパワー検知手順と；
電圧供給する対象として、上記起動要因監視部、または、省エネスタンバイ時に動作する部分を、選択する省エネスタンバイ時電圧制御手順と；
省エネスタンバイへの移行中に、上記ＵＳＢバスパワーを供給可能であれば、上記ＵＳＢバスパワーによって、上記起動要因監視部と上記省エネスタンバイ電圧制御部とを駆動し、一方、上記ＵＳＢバスパワーを供給できなければ、上記メイン電源からの電圧によって、上記起動要因監視部と上記省エネスタンバイ電圧制御部とを駆動するように、上記ＵＳＢバスパワー検知部からの信号に応じて、上記メイン電源オンオフ制御部への供給電圧と上記起動要因監視部の電圧供給部への供給電圧とを、上記省エネスタンバイ時電圧制御部に制御させ、また、省エネスタンバイ時に、省エネスタンバイ状態から通常動作状態への復帰要因を、上記起動要因監視部が検知すると、上記メイン電源からの電圧によって、画像処理装置を駆動する通常状態へ移行する移行手順と；
コンピュータに実行させるプログラムを記憶したコンピュータ読取可能な記憶媒体。
【請求項８】
インタフェースケーブルを介して電子装置に接続され、上記電子装置の情報を入出力する入出力装置において、
省電力スタンバイ状態から動作状態へ移行する要因を検知する起動要因検知手段と；
上記起動要因検知手段の電源を、上記インタフェースケーブルを介した外部電源、自己電源のうちの一方の電源に接続するスイッチ手段と；
全ての上記起動要因検知手段の消費電力を換算した設定値を、上記インタフェースケーブル経由で、上記電子装置へ送る手段と；
上記電子装置が上記設定値を許可したら、全ての上記起動要因検知手段の電源を、上記外部電源へ接続するように、上記スイッチ手段を制御するスイッチ制御手段と；
を有することを特徴とする入出力装置。
【請求項９】
請求項８において、
上記スイッチ制御手段は、上記設定値を上記電子装置が拒否したら、全ての上記起動要因検知手段の電源を、上記自己電源側へ接続するように、上記スイッチ手段を制御する第２のスイッチ制御手段を有することを特徴とする入出力装置。
【請求項１０】
請求項８または請求項９において、
上記設定値を上記電子装置が拒否したら、前回送った設定値よりも小さい設定値を、上記電子装置へ送る手段を有し、
上記スイッチ制御手段は、送った設定値を上記電子装置が許可すると、許可された設定値に相当する一部の上記起動要因検知手段の電源を、上記インタフェースケーブルを介して上記外部電源へ接続し、残りの上記起動要因検知手段の電源を、自己電源へ接続するように、上記スイッチ手段を制御する第３のスイッチ制御手段を有する手段であることを特徴とする入出力装置。
【請求項１１】
請求項１０において、
上記設定値が上記電子装置に許可されるまで、前回送ったものよりも小さい設定値を、上記電子装置へ繰り返し送る手段を有することを特徴とする入出力装置。
【請求項１２】
請求項８〜請求項１１のいずれか１項において、
上記インタフェースは、ＵＳＢであり、上記インタフェース電源は、ＵＳＢバス電源であり、上記設定値は、ＵＳＢコンフィギュレーションディスクリプタのＭａｘＰｏｗｅｒ値であることを特徴とする入出力装置。
【請求項１３】
請求項８〜請求項１２のいずれか１項において、
上記電子装置の情報を入出力する複数の機能を持ち、
上記起動要因検知手段は、省電力スタンバイ状態から動作状態へ移行する要因を検知し、上記複数の機能に対応している複数の手段であり、
上記各起動要因検知手段の電源は、上記インタフェースケーブルを介した外部電源、自己電源のうちの一方に接続する複数のスイッチ手段を有する電源であることを特徴とする入出力装置。
【発明の詳細な説明】
【技術分野】
【０００１】
本発明は、画像処理装置、記憶媒体、およびプログラムに関し、特に、複写機、複合機、ファクシミリ等の画像処理装置における省エネ制御に好適な画像処理装置、省エネ制御方法、記憶媒体、およびプログラムに関する。
【背景技術】
【０００２】
近年、環境問題が重視され、オフィスや家庭での情報機器が待機しているときにおける消費電力を削減することが求められている。ＭＦＰ（Ｍｕｌｔｉ  Ｆｕｎｃｔｉｏｎ  Ｐｒｉｎｔｅｒ）等の画像処理装置で、待機時の消費電力を削減するために、画像処理装置が待機している状態で、省エネスタンバイに切り替わり、消費電力を削減し、画像処理装置を使用するときに、通常動作モードに戻り、これによって、全体として消費電力を削減する。
【０００３】
この中で、通電状態のパーソナルコンピュータに接続されているＵＳＢインタフェースケーブルを、印刷装置に設けられているコネクタに接続することによって、メイン電源をＯＮさせるパワーコントロール部を設け、また、印刷処理が所定時間行われていない場合に、パワーコントロール部は、上記メイン電源をＯＦＦし、パーソナルコンピュータから供給された電力によって、プリンタ言語の受信待機状態に移行する装置が知られている（たとえば、特許文献１参照）。
【０００４】
この従来例において、プリンタ言語を受信した時点で、上記メイン電源をＯＮし、印刷を実行する。このようにして、消費電力を削減する。
【特許文献１】特開２００３−１１８２０４号公報
【発明の開示】
【発明が解決しようとする課題】
【０００５】
しかし、上記従来の画像処理装置がＳＦＰ（Ｓｉｎｇｌｅ  Ｆｕｎｃｔｉｏｎ  Ｐｒｉｎｔｅｒ）として使用される場合には問題無いが、ＭＦＰとして使用される場合には、省エネスタンバイに移行することが想定されていないという問題がある。
【０００６】
上記従来例では、ＰＣ（Ｐｅｒｓｏｎａｌ  Ｃｏｍｐｕｔｅｒ）電源がオフしたときに、または、ＰＣがＵＳＢバスパワーを遮断したときに、または、ＵＳＢ（Ｕｎｉｖｅｒｓａｌ  Ｓｅｒｉａｌ  Ｂｕｓ）ケーブルが抜かれているときに、メイン電源をオフするので、ＵＳＢ以外の起動要因によって起動することができないという問題がある。
【０００７】
本発明は、ＰＣとＭＦＰとを含めたシステム全体で、省エネスタンバイ時の消費電力を削減し、ＭＦＰ電源寿命を増加することができる画像処理装置、その制御方法、プログラムおよび記憶媒体を提供することを目的とするものである。
【０００８】
また、本発明は、省エネスタンバイ中に、使用しない機能を持つ回路に対する電圧を遮断するので、さらに消費電力を削減することができる画像処理装置、その制御方法、プログラムおよび記憶媒体を提供することを目的とするものである。
【課題を解決するための手段】
【０００９】
本発明は、メイン電源をオンまたはオフするメイン電源オンオフ制御部と、省エネスタンバイ時に、省エネスタンバイ状態から通常動作状態への復帰要因を検知する起動要因監視部と、電源供給を受けることが可能なＵＳＢ  Ｉ／Ｆ内で、ＵＳＢバスパワーを検知するＵＳＢバスパワー検知部と、電圧供給する対象として、上記起動要因監視部、または、省エネスタンバイ時に動作する部分を、選択する省エネスタンバイ時電圧制御部と、省エネスタンバイへの移行中に、上記ＵＳＢバスパワーを供給可能であれば、上記ＵＳＢバスパワーによって、上記起動要因監視部と上記省エネスタンバイ電圧制御部とを駆動し、一方、上記ＵＳＢバスパワーを供給できなければ、上記メイン電源からの電圧によって、上記起動要因監視部と上記省エネスタンバイ電圧制御部とを駆動するように、上記ＵＳＢバスパワー検知部からの信号に応じて、上記メイン電源オンオフ制御部への供給電圧と上記起動要因監視部の電圧供給部への供給電圧とを、上記省エネスタンバイ時電圧制御部に制御させ、また、省エネスタンバイ時に、省エネスタンバイ状態から通常動作状態への復帰要因を、上記起動要因監視部が検知すると、上記メイン電源からの電圧によって、画像処理装置を駆動する通常状態へ移行する移行手段とを有する画像処理装置である。
【発明の効果】
【００１０】
本発明によれば、ＰＣとＭＦＰとを含めたシステム全体で、ＭＦＰの省エネスタンバイ時は、ＭＦＰの消費電力が少ないので、一般的に電源効率が悪く、電源効率の悪い方の電源をオフし、これによって、省エネスタンバイ時の消費電力を削減し、ＭＦＰ電源寿命を増加することができるという効果を奏する。
【００１１】
また、本発明によれば、省エネスタンバイ中に、使用しない機能を持つ回路に対する電圧を遮断するので、さらに消費電力を削減することができるという効果を奏する。
【発明を実施するための最良の形態】
【００１２】
発明を実施するための最良の形態は、次の実施例である。
【実施例１】
【００１３】
図１は、本発明の実施例１である画像処理装置１００の要部の構成を示すブロック図である。
【００１４】
画像処理装置１００は、画像読取機能と画像形成機能とファクシミリ機能とを具備する装置であり、イメージセンサ３０１と、Ａ／Ｄ変換部３０２と、画像処理部３０３と、ＲＡＭ３０４と、記録処理部３０５と、記録装置３０６と、メインＣＰＵ３０７と、イメージセンサ制御部３０８と、ＲＯＭ３０９と、通信部３１０と、操作部・センサ３１１と、モータ３１２と、モータ制御部３１３と、操作部・センサ制御部３１４と、子電話３１５と、スキャナ・ＦＡＸ起動要因監視部３１６と、起動要因監視部電圧供給部３１７と、省エネスタンバイ時電圧制御部３１８と、メイン電源オンオフ制御部３１９と、ＵＳＢ  Ｉ／Ｆ部３２０と、ＵＳＢバスパワー検知部３２１と、ＵＳＢ起動要因監視部３２２とを有する。
【００１５】
イメージセンサ３０１は、光源から原稿へ照射した光の反射光を電気信号に光電変換する。Ａ／Ｄ変換部３０２は、イメージセンサ３０１の出力信号をＡ／Ｄ変換する。画像処理部３０３は、Ａ／Ｄ変換部３０２の出力信号に画像処理を施すものであり、シェーディング補正用の演算器、符号復号化処理部、画像データ蓄積用のメモリ、輝度濃度変換テーブル、光源点灯時間測定ブロック等を備えている。
【００１６】
ＲＡＭ３０４は、画像処理部３０３が画像処理した画像データを記憶する。記録処理部３０５は、記録（画像形成）用画像処理を行う。記録装置３０６は、記録紙に画像を記録（画像形成）する。メインＣＰＵ３０７は、画像処理装置各部を制御する中央処理装置であり、ＲＯＭ３０９に格納された制御プログラム、または外部から供給される制御プログラムに基づいて、図２に示すタイミングチャートの処理を実行する。イメージセンサ制御部３０８は、光源制御信号と、蓄積制御信号と、センサ制御信号とに基づいて、原稿を読み取るイメージセンサ３０１を制御する。
【００１７】
ＲＯＭ３０９は、本発明の省エネ制御プログラムを含む各種制御プログラムや固定データを格納している。通信部３１０は、画像処理装置と外部装置との間におけるデータ通信を制御する。ファクシミリ機能を有する場合、ＮＣＵ（Ｎｅｔｗｏｒｋ  Ｃｏｎｔｒｏｌｌ  Ｕｎｉｔ）、モデムを含み、ネットワーク接続機能を有する場合は、ＮＩＣ（Ｎｅｔｗｏｒｋ  Ｉｎｔｅｒｆａｃｅ  Ｃａｒｄ）を含んでいる。
【００１８】
モータ３１２は、イメージセンサ３０１が固定されているキャリッジを駆動する。モータ制御部３１３は、モータ３１２を駆動制御する。操作部・センサ制御部３１４は、操作部・センサ３１１に対する信号の入出力を制御する。操作部・センサ３１１内の操作部は、各種データ入力や各種設定を行う入力手段、各種表示を行う表示手段を具備している。
【００１９】
上記構成をさらに詳述すると、画像処理装置１００の各々のブロック（イメージセンサ３０１〜子電話３１５）には、メイン電源（Ｐｏｗｅｒ  Ｓｕｐｐｌｙ  Ｕｎｉｔ）３から電源が供給されている。また、画像処理装置１００の各ブロックは、電気信号線によって結合され、データを伝送することができ、ＲＯＭ３０９からプログラムを、メインＣＰＵ３０７が読み込み実行することによって、制御されている。
【００２０】
画像処理装置１００は、電源投入後に初期動作をし、稼動状態にある場合、画像処理装置１００の操作部を、ユーザが操作することによって、画像処理装置１００が有するコピー機能やファクシミリ機能を使用し、画像処理装置１００における各種動作の設定モードを指示することができる。また、ＵＳＢ  Ｉ／Ｆ部３２０を介して、ＰＣ４と接続されている場合や、通信部３１０を介して、ネットワーク（通信回線５）と接続されている場合、ＰＣからプリントデータを受け取ることによって、ＰＣプリンタとして動作する。
【００２１】
また、通信部３１０を介して、ＰＳＴＮ（Ｐｕｂｌｉｃ  Ｓｗｉｔｃｈｅｄ  Ｔｅｌｅｐｈｏｎｅ  Ｎｅｔｗｏｒｋ）（通信回線５）と接続し、ファクシミリの受信動作を行い、子電話３１５を用いて通話することができる。
【００２２】
次に、本発明の実施例１である画像処理装置の動作について説明する。
【００２３】
図２は、実施例１における電圧供給状態と各電圧供給制御信号との関係を示すタイミングチャートである。
【００２４】
図３は、実施例１において、画像処理装置のメインＣＰＵ３０７が、プログラムに基づいて実行し、また省エネスタンバイ時電圧制御部３１８が、プログラムまたは内蔵論理回路に基づいて実行する動作を示すフローチャートである。
【００２５】
まず、ＵＳＢケーブルが未挿入の状態であり、画像処理装置の電源コードが抜かれ、商用交流電源（以後、「商用ＡＣ」という）が供給されていない状態であるとする。
【００２６】
ここで、画像処理装置１００の電源コードを挿入し、画像処理装置１００へ商用ＡＣを入力する（Ｓ３０１）。画像処理装置１００内のメイン電源オンオフ制御部３１９は、省エネスタンバイ時電圧制御部３１８からのメイン電源オンオフ制御信号に従い、メイン電源をオンまたはオフする。
【００２７】
メイン電源オンオフ制御信号が、Ｈ（Ｈｉｇｈ）であれば、メイン電源をオフし、メイン電源オンオフ制御信号が、Ｌ（Ｌｏｗ）であれば、メイン電源をオンする。メイン電源オンオフ制御信号がＬであるので、メインコントローラ１に、商用ＡＣが生成したメイン電源３からの電圧を供給する。
【００２８】
そして、画像処理装置の内部のその他の負荷（図１中のモータ３１２と操作部・センサ３１１とイメージセンサ３０１と記録装置３０６と子電話３１５）と、起動要因監視部電圧供給部３１７とにも、メインコントローラ１を経由して、電圧が供給される。
【００２９】
たとえば、起動要因監視部電圧供給部３１７に、＋５Ｖ、＋３．３Ｖを供給し、メインコントローラ１と画像処理装置１００の内部のその他の負荷とに、＋２４Ｖ、＋１２Ｖ、＋５Ｖ、＋３．３Ｖを供給し、ヒータ用ＡＣを供給する。
【００３０】
これによって、メインコントローラ１内のリセット回路（図示せず）が、メインコントローラ１をリセットし、リセット解除後に、メインＣＰＵ３０７が、ＲＯＭ３０９からプログラムを読み込み実行する。
【００３１】
そして、メインＣＰＵ３０７は、画像処理装置１００の全てのハードウェアの初期設定を行う。このときに、スキャナ・ＦＡＸ起動要因監視部３１６、起動要因監視部電圧供給部３１７、省エネスタンバイ時電圧制御部３１８、ＵＳＢ  Ｉ／Ｆ部３２０、ＵＳＢ  Ｉ／Ｆ部３２０内部に存在するＵＳＢバスパワー検知部３２１と、ＵＳＢ起動要因監視部３２２とが初期化される。このときに、画像処理装置１００は、通常動作モードで動作するので、メイン電源オンオフ制御信号は、Ｌに初期化され、省エネスタンバイ電圧選択信号は、Ｌに初期化される（Ｓ３０２）。
【００３２】
初期化が終了した後に、画像処理装置１００は、通常動作モードで動作する。この状態であれば、ＭＦＰとしての全ての機能を使用することができる。たとえば、コピー、ファクシミリ、電話による通話、ＰＣプリンタ、スキャナ、メール機能を使用することができる。
【００３３】
起動して稼動状態にあるＰＣ４と画像処理装置１００とは、この状態でＵＳＢケーブルを挿入し、プリントできるようにしたとする。このときに、ＵＳＢケーブルのＶＢＵＳとＧＮＤとが、ＵＳＢバスパワー検知部３２１に入力され、検知されるので、バスパワー検知信号がＨになる。また、ＵＳＢケーブルのＤ＋信号とＤ−信号とが、ＵＳＢ  Ｉ／Ｆ部３２０に入力され、通信するので、ＵＳＢ起動要因監視部３２２が出力するＵＳＢ起動要因発生信号がＨになり、ＵＳＢ起動要因が発生したことを通知する。この場合、省エネスタンバイではないので、ＵＳＢ起動要因によって、特別な動作はしない（Ｓ３０３）。
【００３４】
メインＣＰＵ３０７は、省エネスタンバイ移行条件を満足しているかどうかを、定期的に判断し、省エネスタンバイ移行条件を満たしていなければ、ステップＳ３０３の通常動作モードへ移行する。
【００３５】
画像処理装置１００が、特に機能を使用せずに待機する状態をタイマで監視し、設定時間が経過した場合や、ユーザが操作部を介して、省エネスタンバイへの移行を指示した場合に、画像処理装置１００が動作中でなければ、省エネスタンバイ移行条件を満たし、ステップＳ３０５へ移行する。画像処理装置１００が、通話、ＦＡＸ通信、プリント、スキャン、データ送信、データ受信中であれば、動作中であると判断し、省エネスタンバイへは移行しない（Ｓ３０４）。
【００３６】
省エネスタンバイへ移行するときに、メインＣＰＵ３０７が、省エネスタンバイ時電圧制御部３１８を、省エネスタンバイにセットする。そして、ＵＳＢＩ／Ｆ３２０は、省エネスタンバイ中に、必要に応じてＵＳＢの通信がサスペンドモードへ移行しないように、定期的に、ＰＣのＵＳＢと通信する。そして、ステップＳ３０７へ移行する。
【００３７】
省エネスタンバイ時電圧制御部３１８は、サブＣＰＵを内蔵しているＲＯＭに、サブＣＰＵのプログラムを格納するようにしてもよい。トランジスタやＦＥＴやロジックＩＣによって構成されている論理回路によって、上記プログラムを構成するようにしてもよい。上記実施例では、省エネスタンバイ時電圧制御部３１８は、サブＣＰＵによって構成されている（Ｓ３０５）。
【００３８】
ステップＳ３０７〜Ｓ３０９が、本発明の重要な点である。省エネスタンバイ移行時と移行中とに、ＵＳＢバスパワーが検知できるかどうかを、省エネスタンバイ時電圧制御部３１８が判断する。ＰＣが起動中に、ＵＳＢケーブルが接続されていれば、ＵＳＢバスパワーとして、ＭＦＰ本体側が消費する電流値が変化するので、再コンフィグレーションを行う。
【００３９】
そして、ＵＳＢバスパワーを検知できるので、ＵＳＢバスパワー検知部３２１が、バスパワー検知信号のＨを出力し、ステップＳ３０９へ移行する。ＰＣが起動中でない場合、または、ＵＳＢバスパワーが遮断されている場合、またはＵＳＢケーブルが抜けている場合は、バスパワーを検知できないので、ＵＳＢバスパワー検知部３２１から、バスパワー検知信号のＬが出力され、ステップＳ３０８へ移行する（Ｓ３０７）。
【００４０】
バスパワーを検知できなければ、省エネスタンバイ時の電圧供給を、メイン電源３が賄うために、省エネスタンバイ時電圧制御部３１８は、メイン電源オンオフ制御信号をＬに制御する。
【００４１】
これによって、メイン電源オンオフ制御部３１９は、メインコントローラ１にメイン電源３からの電圧を供給する。ただし、メインＣＰＵ３０７は、省エネ中に動作する必要のない画像処理装置１００の内部のその他の負荷（図１中のモータ３１２と操作部・センサ３１１の一部とイメージセンサ３０１と記録装置３０６）への電圧をオフし、操作部・センサ制御部３１４の一部、イメージセンサ３０１、Ａ／Ｄ変換部３０２、画像処理部３０３、記録装置３０６、イメージセンサ制御部３０８、モータ制御部３１３を非活性化にする。
【００４２】
また、省エネスタンバイ時電圧制御部３１８は、省エネスタンバイ電圧選択信号をＬに制御する。これによって、起動要因監視部電圧供給部３１７は、省エネスタンバイ時に動作する部分へ、メイン電源３が生成した電圧を供給するように切り換える。
【００４３】
ここで挙げている省エネスタンバイ時に動作する部分は、操作部の省エネキー、原稿検知センサ、圧板開閉センサ、子電話オフフック検知回路、通信呼び出し信号検知回路、スキャナ・ＦＡＸ起動要因監視部３１６、起動要因監視部電圧供給部３１７、省エネスタンバイ時電圧制御部３１８、ＵＳＢ  Ｉ／Ｆ部３２０、ＵＳＢバスパワー検知部３２１、ＵＳＢ起動要因監視部３２２である。そして、ステップＳ３１０へ移行する（Ｓ３０８）。
【００４４】
ステップＳ３０７でバスパワーを検知できれば、省エネスタンバイ時の電圧供給を、バスパワーが賄うための省エネスタンバイ時電圧制御部３１８は、メイン電源オンオフ制御信号を、Ｈに制御する。
【００４５】
これによって、メイン電源オンオフ制御部３１９は、メイン電源をオフし、電圧供給を遮断する。また、省エネスタンバイ時電圧制御部３１８は、省エネスタンバイ電圧選択信号を、Ｈに制御する。すると、起動要因監視部電圧供給部３１７は、上記省エネスタンバイ時に動作する部分へ、ＵＳＢパスパワー電圧から生成した電圧を供給するように切り換える。
【００４６】
起動要因監視部電圧供給部３１７には、ＵＳＢバスパワーの＋５Ｖを３．３Ｖに変換するＤＣ−ＤＣコンバータ等の回路が内蔵されている。一般に、メイン電源の効率は、低消費電力時には低下が激しいので、ＵＳＢバスパワーで、画像処理装置１００を駆動することは、システム全体でみると、オンしている電源が２つから１つになるので、電源効率悪化によってロスしている消費電力を、削減することができ、省エネに有効である。そして、ステップＳ３１０へ移行する（Ｓ３０９）。
【００４７】
ステップＳ３１０では、省エネスタンバイ時電圧制御部３１８は、スキャナ・ＦＡＸ起動要因監視部３１６またはＵＳＢ起動要因監視部３２２から、起動要因検知信号がないかどうかを判断する。起動要因検知信号が無ければ、ステップＳ３０７に移行する。
【００４８】
ここで、Ｓ３０７に移行する理由について説明する。省エネスタンバイ中に、ＰＣの電源がオフされたり、ＵＳＢバスパワーが供給されなくなり、ＵＳＢケーブルが抜かれると、バスパワーが遮断されるので、起動要因を検知できない。
【００４９】
ＭＦＰでは、バスパワーが供給されないときでも、起動要因を検知する必要があるので、Ｓ３０７へ戻る。Ｓ３０７へ戻れば、ＵＳＢバスパワーを検知できなくなった段階で、Ｓ３０８へ移行し、商用ＡＣからの電圧で、省エネスタンバイを続行することができる。
【００５０】
次に、ステップＳ３１０について説明する。
【００５１】
起動要因検知信号が有れば、省エネスタンバイから復帰し、通常動作モードへ移行するために、ステップＳ３１２へ移行する。ここで、起動要因は、操作部の省エネキー押下、原稿検知センサ検知、圧板開閉センサ検知、子電話オフフック検知、通信呼び出し信号検知ＵＳＢからのプリントジョブ発生検知である。
【００５２】
上記起動要因があれば、ＵＳＢ起動要因監視部３２２またはスキャナ・ＦＡＸ起動要因監視部３１６は、起動要因検知信号をＨにし、省エネスタンバイ時電圧制御部３１８に通知する（Ｓ３１０）。
【００５３】
ステップＳ３１２では、省エネスタンバイから復帰する。省エネスタンバイ時電圧制御部３１８は、メイン電源オンオフ制御信号を、Ｌに制御する。メイン電源オンオフ制御部３１９は、メイン電源をオンし、メインコントローラ１に、メイン電源３からの電圧を供給する。また、省エネスタンバイ時電圧制御部３１８は、省エネスタンバイ電圧選択信号を、Ｌに制御する。起動要因監視部電圧供給部３１７は、省エネスタンバイ時に動作する部分へ、メイン電源３から生成した電圧を供給するように、切り換える。ＭＦＰ本体側がＵＳＢバスパワーとして消費する電流値が変化するので、再コンフィグレーションを行う。そして、ステップＳ３０３へ移行する（Ｓ３１２）。
【００５４】
所定の起動要因によって画像処理装置１００が起動した後に、たとえば、画像処理装置１００が、原稿の画像を読み取り、記録紙上に画像を形成するコピーを行う場合について説明する。
【００５５】
ユーザが、原稿を画像処理装置１００に積載し、操作部を介して、コピーを指示する。イメージセンサ３０１を固定しているキャリッジは、ギヤとベルトとを介してモータ３１２に結合されている可動式であり、メインＣＰＵ３０７は、キャリッジを白基準板まで搬送し、黒シェーディングおよび白シェーディング用のデータを取得する。
【００５６】
本実施例では、原稿の長手方向の先端から終端までを、６００ｄｐｉの密度で読み取る。イメージセンサ３０１の出力を、Ａ／Ｄ変換部３０２でＡ／Ｄ変換して得られた１０ｂｉｔの読み取り値を、画像処理部３０３内の演算器が、白シェーディング補正および黒シェーディング補正のために保存する。
【００５７】
シェーディング補正データを取得した後に、キャリッジをホームポジションまで搬送し、その後に、キャリッジを原稿方向に再度搬送する。クロックが計時し、所定時間経過すると、イメージセンサ３０１が原稿先端位置に達したことを、メインＣＰＵ３０７が判断し、イメージセンサ３０１による読取処理を開始する。
【００５８】
イメージセンサ３０１で読取られた１ライン分の読み取り値を、それぞれ対応する同画素位置の上記白シェーディング補正値と黒シェーディング補正値とを用い、次式で正規化し、処理階調数（たとえば８ｂｉｔ階調）を積算し、それぞれの画素の輝度とする。
【００５９】
輝度値＝２５５×（読み取り値−黒シェーディング値）／（白シェーディング値−黒シェーディング値）
上記演算で得られた輝度値を、濃度値に変換する際、輝度濃度変換テーブル（図示略）を参照し、得られた輝度値を、対応する濃度値に変換する。
【００６０】
そして、濃度値について、多値→２値化処理を行う。様々な多値→２値化処理法があるが、誤差拡散法では、注目画素の濃度値に対して、階調の真ん中の値（２５６階調であれば、１２７）を閾値とし、この閾値以上であれば、黒であると判断し、閾値以下であれば、白であると判断する。
【００６１】
この際に、注目画素の濃度値と、黒（濃度２５５）または白（濃度０）の濃度値との差を誤差として、周囲の画素に一定配分で振り分けながら、２値化処理を行う。得られた２値画像データを、画像処理装置１００から外部装置に送信するための通信用の画像データや、画像処理装置１００における記録（画像形成）処理用の画像データとして使用する。
【００６２】
本実施例では、Ａ３サイズ１ページ分の画像データを、ＲＡＭ３０４に蓄積する。すなわち、画像処理部３０３が処理した６００×６００ｄｐｉの画像データを、ＲＡＭ３０４に蓄積する。ＲＡＭ３０４に画像データを蓄積する際と、ＲＡＭ３０４から画像データを記録処理部３０５へ転送する際に、適切な圧縮・展開方法で、画像データの圧縮・展開を行うようにしてもよい。画像データをＲＡＭ３０４から記録処理部３０５へ転送し、記録処理部３０５が記録用画像処理を行った後に、記録装置３０６が、記録紙に画像を記録する。記録処理部３０５は、１２００×１２００ｄｐｉの画像データに変換し、スムージング処理を行う。
【００６３】
記録装置３０６が、たとえばレーザビームプリンタである場合、記録処理部３０５から伝送された画像データに従い、レーザビームプリンタ内のレーザ発生装置のレーザビームをＯＮ／ＯＦＦする。レーザビームプリンタ内のポリゴンミラーは、一定速度で回転するように制御され、レーザビームを、ポリゴンミラーが反射し、帯電器によって帯電された感光ドラム上の主走査方向へ照射し、照射された点のみの帯電が中和されることによって、主走査１本分の静電潜像を形成する。
【００６４】
感光ドラム上に形成された静電潜像に、現像器がトナーを付着し、転写器が記録紙上にトナーを転写し、除電針が記録紙を分離した後に、定着器が、記録紙上のトナーを定着させる。また、記録紙上へトナーを転写した後に、感光ドラム上に残ったトナーを、クリーナブレードが除去する。この手順によって、記録紙へ印字が行われる。
【００６５】
次に、画像処理装置１００がファクシミリ通信する場合について、説明する。
【００６６】
本実施例では、Ａ３サイズ１ページ分の画像データを、ＲＡＭ３０４に蓄積する。画像処理部３０３が縦横変換を行った後に、６００×６００ｄｐｉの画像データを、ファインモードでは、８ｐｅｌ×７．７ｍｍ／ｌｉｎｅｓの解像度に変換する。その後に、画像データを、画像処理部３０３内の符号復号化処理部に転送し、ＭＲ（Ｍｏｄｉｆｉｅｄ  Ｒｅａｄ）（ｋ＝８）で符号化した後に、符号化された画像データを、ＲＡＭ３０４に蓄積する。
【００６７】
メインＣＰＵ３０７は、通信部３１０内に存在するＮＣＵ（Ｎｅｔｗｏｒｋ  Ｃｏｎｔｒｏｌ  Ｕｎｉｔ）を制御し、公衆電話網を経由して指定された電話番号の相手機ファクシミリへ発呼し、接続を試みる。指定された電話番号の相手機ファクシミリと、本画像処理装置１００とが接続されれば、ＩＴＵ（Ｉｎｔｅｒｎａｔｉｏｎａｌ  Ｔｅｌｅｃｏｍｍｕｎｉｃａｔｉｏｎ  Ｕｎｉｏｎ）−Ｔ（Ｔｅｌｅｃｏｍｍｕｎｉｃａｔｉｏｎ  Ｓｔａｎｄａｒｄｉｚａｔｉｏｎ  Ｓｅｃｔｏｒ）（国際電気通信連合電気通信標準化部門）のＴ．３０勧告の手順に従い、適切なファクシミリ通信を行う。
【００６８】
その際、ＲＡＭ３０４から画像処理部３０３内の符号復号化処理部に、画像データを転送した後に、生画像データに変換し、再度、相手機ファクシミリに応じた符号化を行い、通信部３１０内に存在するモデムへ符号化データを転送する。モデムは、符号化データの変調を行い、公衆電話網を介して、相手機ファクシミリへ画像データを送信する。
【００６９】
上記のように、本発明の実施例１である画像処理装置１００によれば、省エネスタンバイ移行時または移行中に、ＵＳＢバスパワーが供給可能であれば、ＵＳＢバスパワーで駆動するので、ＰＣとＭＦＰとを含めたシステム全体で、ＭＦＰの省エネスタンバイ時は、ＭＦＰの消費電力が少ないために一般的に電源効率が悪く、電源効率の悪い方の電源をオフすることによって、省エネスタンバイ時消費電力を削減することができ、また、ＭＦＰ電源寿命を増加することができる。
【００７０】
また、ＵＳＢバスパワーを供給できなければ、メイン電源からの電圧で駆動するように自動的に切り換えるので、消費電力削減量は低下するが、ＵＳＢケーブルを抜いても、ＵＳＢバスパワーが遮断されても、ＰＣ電源をオフしても、省エネスタンバイに移行することができる。
【実施例２】
【００７１】
本発明の実施例２である画像処理装置（図示せず）は、基本的には、図１に示す画像処理装置１００と同じであり、省エネスタンバイ移行時と移行中とに、ＵＳＢバスパワーが供給可能であれば、ＵＳＢバスパワーで省エネスタンバイ電圧制御部を駆動し、しかも、設定に応じて一部の起動要因監視部を駆動し、一部の起動要因監視部を停止させる点のみが、画像処理装置１００とは異なる。
【００７２】
たとえば、ＭＦＰのＦＡＸ機能を使用しない場合や、電話線が抜かれている場合、通信呼び出し信号ＣＩを検知する必要がない。通信呼び出し信号ＣＩを検知する回路は、フォトモスリレー等を使用しているので、通信呼び出し信号ＣＩを検知しなければ、数ｍＡの消費電力を削減することができる。
【００７３】
そこで、ユーザ設定、または電話線を交換機やＰＢＸに接続しているか否かを自動検知した結果を、メインＣＰＵ３０７、ＲＡＭ３０４、ＲＯＭ３０９等に保存し、その設定に従い、省エネスタンバイ中に、通信部に内蔵する通信呼び出し信号ＣＩを検知する回路への電圧を遮断する。これ以外の構成は、図１に示す構成と同様である。
【００７４】
本発明の実施例２である画像処理装置によれば、省エネスタンバイ移行時または移行中に、ＵＳＢバスパワーが供給可能であれば、ＵＳＢバスパワーで駆動するので、ＰＣとＭＦＰとを含めたシステム全体で、ＭＦＰの省エネスタンバイ時は、ＭＦＰの消費電力が少ないために一般的に電源効率が悪く、電源効率の悪い方の電源をオフすることによって、省エネスタンバイ時消費電力を削減することができ、また、ＭＦＰ電源寿命を増加することができる。
【００７５】
また、ＵＳＢバスパワーが供給できなければ、メイン電源からの電圧で駆動するように、自動的に切り換えるので、消費電力削減量は低下するが、ＵＳＢケーブルを抜いても、ＵＳＢバスパワーが遮断されても、ＰＣ電源をオフしても、ＭＦＰが省エネスタンバイに移行できる。また、使用しない機能を持つ回路への電圧供給を遮断するので、さらに消費電力を削減することができる。
【実施例３】
【００７６】
本発明の実施例３である画像処理装置（図示せず）は、基本的には、図１に示す画像処理装置１００と同じであり、メイン電源オンオフ制御部３１９が、商用ＡＣをオンオフする点のみが、画像処理装置１００と異なる。
【００７７】
本発明の実施例３である画像処理装置によれば、省エネスタンバイ移行時または移行中に、ＵＳＢバスパワーが供給可能であれば、ＵＳＢバスパワーで駆動するので、ＰＣとＭＦＰとを含めたシステム全体で、ＭＦＰの省エネスタンバイ時は、ＭＦＰの消費電力が少ないために一般的に電源効率が悪く、電源効率の悪い方の電源をオフすることによる省エネスタンバイ時消費電力を削減することができ、また、ＭＦＰ電源寿命を増加することができる。
【００７８】
また、ＵＳＢバスパワーを供給できなければ、メイン電源からの電圧で駆動するように自動的に切り換えるので、消費電力削減量は低下するが、ＵＳＢケーブルを抜いても、ＵＳＢバスパワーが遮断されても、ＰＣ電源をオフしても、ＭＦＰを省エネスタンバイに移行できる。
【実施例４】
【００７９】
本発明の実施例４である画像処理装置（図示せず）は、基本的には、図１に示す画像処理装置１００と同じであり、バッテリ駆動が可能であって、メイン電源オンオフ制御部３１９が、バッテリをオンオフする点のみが、画像処理装置１００とは異なる。
【００８０】
実施例４である画像処理装置によれば、省エネスタンバイ移行時または移行中に、ＵＳＢバスパワーが供給可能であれば、ＵＳＢバスパワーで駆動するので、ＰＣとＭＦＰとを含めたシステム全体で、ＭＦＰの省エネスタンバイ時は、ＭＦＰの消費電力が少ないので、一般的に電源効率が悪く、電源効率の悪い方の電源をオフすることによる省エネスタンバイ時消費電力削減とＭＦＰ電源寿命の増加とが可能である。
【００８１】
また、実施例４によれば、ＵＳＢバスパワーが供給できないときに、メイン電源からの電圧で駆動するように、自動的に切り換えるので、消費電力削減量は低下するが、ＵＳＢケーブルを抜いたり、ＵＳＢバスパワーが遮断されたり、ＰＣ電源をオフしても、省エネスタンバイに移行できる。
【実施例５】
【００８２】
本発明の実施例５（図示せず）は、複数の機器から構成されるシステムに適用したものであり、１つの機器からなる装置に適用した実施例である。上記実施例の機能を実現するソフトウエアのプログラムコードを記憶している記憶媒体等の媒体を、システムまたは装置に供給し、そのシステムまたは装置のコンピュータ（またはＣＰＵやＭＰＵ）が、記憶媒体等の媒体に格納されたプログラムコードを読み出し、実行することによって、上記各実施例が達成される。
【００８３】
つまり、上記実施例は、メイン電源をオンまたはオフするメイン電源オンオフ制御手順と、省エネスタンバイ時に、省エネスタンバイ状態から通常動作状態への復帰要因を検知する起動要因監視手順と、電源供給を受けることが可能なＵＳＢ  Ｉ／Ｆ内で、ＵＳＢバスパワーを検知するＵＳＢバスパワー検知手順と、電圧供給する対象として、上記起動要因監視部、または、省エネスタンバイ時に動作する部分を、選択する省エネスタンバイ時電圧制御手順と、省エネスタンバイへの移行中に、上記ＵＳＢバスパワーを供給可能であれば、上記ＵＳＢバスパワーによって、上記起動要因監視部と上記省エネスタンバイ電圧制御部とを駆動し、一方、上記ＵＳＢバスパワーを供給できなければ、上記メイン電源からの電圧によって、上記起動要因監視部と上記省エネスタンバイ電圧制御部とを駆動するように、上記ＵＳＢバスパワー検知部からの信号に応じて、上記メイン電源オンオフ制御部への供給電圧と上記起動要因監視部の電圧供給部への供給電圧とを、上記省エネスタンバイ時電圧制御部に制御させ、また、省エネスタンバイ時に、省エネスタンバイ状態から通常動作状態への復帰要因を、上記起動要因監視部が検知すると、上記メイン電源からの電圧によって、画像処理装置を駆動する通常状態へ移行する移行手順とコンピュータに実行させるプログラムの例である。
【００８４】
この場合、記憶媒体等の媒体から読み出されたプログラムコード自体が、上記実施例の機能を実現することになり、そのプログラムコードを記憶した記憶媒体等の媒体は、本発明を構成する。プログラムコードを供給するための記憶媒体等の媒体として、たとえば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭ、またはネットワークを介したダウンロード等が考えられ。
【００８５】
また、コンピュータが読み出したプログラムコードを実行することによって、上記実施例の機能が実現されるだけでなく、そのプログラムコードの指示に基づいて、コンピュータ上で稼動しているＯＳ等が実際の処理の一部または全部を実行し、その処理によって上記実施例の機能が実現される。
【００８６】
さらに、記憶媒体等の媒体から読み出されたプログラムコードが、コンピュータに挿入された、機能拡張ボードやコンピュータに接続された機能拡張ユニットに備わるメモリに書き込まれた後に、そのプログラムコードの指示に基づいて、その機能拡張ボードや機能拡張ユニットに備わるＣＰＵ等が、実際の処理の一部または全部を実行し、その処理によって上記実施例の機能が実現される。
【００８７】
つまり、上記実施例は、メイン電源をオンまたはオフするメイン電源オンオフ制御部３１９と、省エネスタンバイ時に、省エネスタンバイ状態から通常動作状態への復帰要因を検知する起動要因監視部３１６、３２２と、電源供給を受けることが可能なＵＳＢ  Ｉ／Ｆ内で、ＵＳＢバスパワーを検知するＵＳＢバスパワー検知部３２１と、電圧供給する対象として、上記起動要因監視部、または、省エネスタンバイ時に動作する部分を、選択する省エネスタンバイ時電圧制御部３１８と、省エネスタンバイへの移行中に、上記ＵＳＢバスパワーを供給可能であれば、上記ＵＳＢバスパワーによって、上記起動要因監視部と上記省エネスタンバイ電圧制御部とを駆動し、一方、上記ＵＳＢバスパワーを供給できなければ、上記メイン電源（ＰＳＵ）からの電圧によって、上記起動要因監視部と上記省エネスタンバイ電圧制御部とを駆動するように、上記ＵＳＢバスパワー検知部からの信号に応じて、上記メイン電源オンオフ制御部への供給電圧と上記起動要因監視部の電圧供給部への供給電圧とを、上記省エネスタンバイ時電圧制御部に制御させ、また、省エネスタンバイ時に、省エネスタンバイ状態から通常動作状態への復帰要因を、上記起動要因監視部が検知すると、上記メイン電源からの電圧によって、画像処理装置を駆動する通常状態へ移行する移行手段とを有する画像処理装置の例である。
【００８８】
この場合、省エネスタンバイ移行時または移行中に、上記ＵＳＢバスパワーを供給可能であれば、上記ＵＳＢバスパワーによって、上記省エネスタンバイ電圧制御部を駆動し、しかも、設定に応じて、上記起動要因監視部の一部を駆動し、上記起動要因監視部の一部への電圧を遮断するようにしてもよい。
【００８９】
また、上記メイン電源オンオフ制御部は、商用交流電源入力をオンまたはオフする手段であるとしてもよい。
【００９０】
さらに、上記メイン電源オンオフ制御部は、バッテリ電源入力をオンまたはオフする手段であるとしてもよい。
【００９１】
また、上記実施例は、メイン電源をオンまたはオフするメイン電源オンオフ制御段階と、省エネスタンバイ時に、省エネスタンバイ状態から通常動作状態への復帰要因を検知する起動要因監視段階と、電源供給を受けることが可能なＵＳＢ  Ｉ／Ｆ内で、ＵＳＢバスパワーを検知するＵＳＢバスパワー検知段階と、上記起動要因監視部に供給する電圧と、省エネスタンバイ時に動作する部分に供給する電圧とを、選択する省エネスタンバイ時電圧制御段階と、省エネスタンバイへの移行中に、上記ＵＳＢバスパワーを供給可能であれば、上記ＵＳＢバスパワーによって、上記起動要因監視部と上記省エネスタンバイ電圧制御部とを駆動し、一方、上記ＵＳＢバスパワーを供給できなければ、上記メイン電源からの電圧によって、上記起動要因監視部と上記省エネスタンバイ電圧制御部とを駆動するように、上記ＵＳＢバスパワー検知部からの信号に応じて、上記メイン電源オンオフ制御部への供給電圧と上記起動要因監視部の電圧供給部への供給電圧とを、上記省エネスタンバイ時電圧制御部に制御させ、また、省エネスタンバイ時に、省エネスタンバイ状態から通常動作状態への復帰要因を、上記起動要因監視部が検知すると、上記メイン電源からの電圧によって、画像処理装置を駆動する通常状態へ移行する移行段階とを有する画像処理装置の制御方法の例である。
【００９２】
ところで、電子装置としてのＰＣをその入出力装置にインタフェース接続する方法として、ＵＳＢ（Ｕｎｉｖｅｒｓａｌ  Ｓｅｒｉａｌ  Ｂｕｓ）が知られている。たとえば、入出力装置としてスキャナ、プリンタ、またはそれらの複合機は、ＵＳＢを使ってＰＣへ接続し、ＰＣへ画像データを入力し、ＰＣからのデータを印刷する。また、複合機は、ファクシミリ機能を持ち、ＰＣのデータをファクシミリ送信し、ファクシミリ受信したデータをＰＣへ送り、ＰＣで表示することができる。
【００９３】
また、ＵＳＢは、そのＵＳＢ規格によってＵＳＢバス電源（５Ｖ電源、最大５００ｍＡ）を、周辺装置へ供給することができる。
【００９４】
一方、近年、省エネに対応した装置が一般的であり、特にスタンバイ時に消費電力をできるだけ落とすことが省電力スタンバイとして必要となっている。その場合に、入出力装置に起動要因検知手段を設け、操作部のキー押下、スキャナ部の原稿検知、プリント要求、ファクシミリの呼出信号受信等を起動要因として、いずれかの起動要因を検知すると、省電力スタンバイ状態から、通常スタンバイ状態、または動作状態へ移行する。
【００９５】
図４は、従来の入出力装置１０ｐを示すブロック図である。
【００９６】
メイン制御部１１が、従来の入出力装置１０ｐの全体を制御する。操作部１２は、使用者が装置の操作をすると、これに従って、装置は動作する。読取部１３は、原稿を読み取り、電子信号に変換する。記録部１４は、紙に文字や写真の記録を行う。ＦＡＸ通信部１５は、読取部１３で原稿を読み取った信号を、ＦＡＸ送信し、ＦＡＸ受信して電子信号に変換し、記録部１４で記録する。また、ＦＡＸ通信部１５は、公衆回線等回線に接続され、回線の着信を検出し、応答し、発信を制御する。自己電源１６は、ＡＣ電源から取る電源、またはバッテリからの電源であり、装置全体の電源を賄う。起動要因検知部１７が設けられている。
【００９７】
省電力スタンバイ状態である場合、装置全体の消費電力を落とすために、起動要因検知部１７のみを通電状態にし、メイン制御部１１を、スリープモードにし、他は、できるだけ電源をオフし、低い消費電力を実現している。
【００９８】
そして、操作部１２の操作、読取部１３の原稿検知、記録部１４の記録開始、ＦＡＸ通信部１５の着信検出等を検出すると、それをメイン制御部１１に通知し、メイン制御部１１は、通常動作モードに戻り、通常の電源供給状態に制御し、入出力装置１０ｐは、所定の通常動作を行う。
【００９９】
また、ＵＳＢを利用した省電力スタンバイ技術は、電源制御手段をオフさせ、インタフェースケーブルを介して送電される電力を電力源とし、印刷信号を受け付けるものが知られている（たとえば、特開２００３−１１８２０４号公報参照）。
【０１００】
また、ＵＳＢバス電源を利用する技術として、機器の負荷に応じて入力電源を切り替えるものが知られている（たとえば、特開２００３−２８０７７１号公報参照）。
【０１０１】
しかし、上記従来例において、ＵＳＢバス電源は、必ずしも５００ｍＡ供給できるわけでなく、上記特開２００３−１１８２０４号公報記載発明では、ＵＳＢバス電源から期待した十分な電力を取ることができないときに、入出力装置１０ｐが確実に動作しないという問題がある。
【０１０２】
また、上記特開２００３−２８０７７１号公報記載発明では、ＵＳＢケーブルから供給される電力量の判断を、所定のしきい値で行うしかなく、しかも１回しか判断できないという問題がある。
【０１０３】
本発明は、ＵＳＢバス電源から十分な電力を取ることができないときでも、その電力量を把握し、ＵＳＢバス電源の電力によって効率よく起動要因検知手段を動作させ、省電力スタンバイを実行することができることを目的とする。
【実施例６】
【０１０４】
図５は、本発明の実施例６である入出力装置１０を示すブロック図である。
【０１０５】
入出力装置１０は、メイン制御部１１、操作部１２、読取部１３、記録部１４、ＦＡＸ通信部１５、自己電源１６、起動要因検知部１７を有し、これらは、図４で説明したものと同じである。
【０１０６】
ＵＳＢｉ／ｆ１８は、ＵＳＢケーブル２０を介して、電子装置であるＰＣ１９と接続され、ＵＳＢ規格に従って、ＵＳＢコネクタやＵＳＢ動作を行う回路で構成され、ＰＣ１９との間で、信号をやり取り（ＵＳＢ通信）する。ＵＳＢケーブル２０を介して、ＶＢＵＳ信号として、５Ｖ、最大５００ｍＡの電力が、ＵＳＢｉ／ｆ１８に供給される。
【０１０７】
ＵＳＢ規格では、ホストとデバイスとが接続されると、初期設定を行う。ここで、ホストは、ＰＣ１９であり、デバイスは、入出力装置１０であり、ＵＳＢケーブル２０を介して接続される。
【０１０８】
ＵＳＢ初期設定の際に、ホストは、デバイスの情報であるデスクリプタをデバイスに要求し、デバイスはそれをホストへ返す。デスクリプタの一種に、コンフィギュレーションデスクリプタがあり、その中のフィールドの１つに、ＭａｘＰｏｗｅｒがある。ＭａｘＰｏｗｅｒは、デバイスが必要とするＵＳＢバス電源の電流の１／２の値を表す。ホストは、その電流を供給できないと判断すると、そのデバイスの接続を拒否する。
【０１０９】
次に、実施例６における制御の流れについて説明する。
【０１１０】
図６は、本発明の実施例６における制御の流れを示すフローチャートであり、ＵＳＢ設定動作の一部を示す。
【０１１１】
入出力装置１０のメイン制御部１１の中の、たとえばＲＯＭに格納されているプログラムによって動作し、メイン制御部１１が制御する。本動作は、省電力スタンバイ状態に入る前に行ってもよいが、必要であれば、それ以外の状態のときに行ってもよい。
【０１１２】
Ｓ１１では、省電力スタンバイ時に起動要因検知部１７が必要な消費電流値を、ＭａｘＰｏｗｅｒ値として、コンフィギュレーションデスクリプタの中に格納し、ＰＣ１９（ホスト）へ送付する。
【０１１３】
Ｓ１２では、ＵＳＢｉ／ｆ１８を介して、ホストから許可されると、Ｓ１３では、スイッチ部２１を制御し、起動要因検知部１７の電源線を、ＵＳＢｉ／ｆ１８のＶＢＵＳ線へ接続する。
【０１１４】
ＵＳＢｉ／ｆ１８を介してホストから拒否されると（Ｓ１２）、Ｓ１４では、スイッチ部２１を制御し、起動要因検知部１７の電源線を、自己電源１６の電源線へ接続する。
【０１１５】
以上の動作によって、実施例６の制御動作を終了する。
【０１１６】
実施例６によれば、入出力装置１０において省電力スタンバイ状態時に、ＰＣ等の電子装置（ホスト）とコンフィギュレーションデスクリプタとのやり取りによって、可能なときに、起動要因検知部の電源を、ホストのＵＳＢ電源から取ることができ、可能でなければ（ホストのＵＳＢ電源から、起動要因検知部の電源を取ることができなければ）、自己電源から取ることができるので、省電力スタンバイ状態を、効率よく実現することができる。
【実施例７】
【０１１７】
本発明の実施例７において、メイン制御部１１、操作部１２、読取部１３、記録部１４、ＦＡＸ通信部１５、自己電源１６、ＵＳＢｉ／ｆ１８、ＰＣ１９、ＵＳＢケーブル２０は、図５に説明したものと同じである。
【０１１８】
実施例７は、入出力装置１０において、起動要因検知部１７、スイッチ部２１の代わりに、起動要因検知部４１、スイッチ部４２を設けた実施例である。
【０１１９】
図７は、実施例７である入出力装置１０における自己電源１６、ＵＳＢｉ／ｆ１８、起動要因検知部４１、スイッチ部４２を示すブロック図である。
【０１２０】
起動要因検知部４１は、複数の回路ブロックに分かれ、互いに異なる起動要因を検知する。たとえば、３個の回路ブロックに分かれ、検知部１は、操作部１２の起動要因を検知し、検知部２は、読取部１３の起動要因を検知し、検知部３は、記録部１４の起動要因を検知する。
【０１２１】
検知部１、２、３は、それぞれ電源線を有し、スイッチ部４２に接続されている。
【０１２２】
スイッチ部４２は、３個のスイッチを有し、これら３個のスイッチは、検知部１、２、３に接続され、検知部の電源線を、自己電源１６またはＵＳＢｉ／ｆ１８に接続する。
【０１２３】
次に、実施例７における制御の流れについて説明する。
【０１２４】
図８は、本発明の実施例７の制御動作を示すフローチャートであり、ＵＳＢ設定動作の一部を示すフローチャートである。
【０１２５】
図８に示すフローチャートに対応するプログラムは、入出力装置１０のメイン制御部１１の中の、たとえばＲＯＭに格納され、このプログラムをメイン制御部１１が制御する。
【０１２６】
本動作を、省電力スタンバイ状態に入る前に行ってもよく、必要であれば、それ以外の状態のときに行ってもよい。
【０１２７】
Ｓ５１では、まず、起動要因検知部４１の全体、すなわち、図７に示す起動要因検知部４１の検知部１、検知部２、検知部３がそれぞれ動作するに必要な消費電流値の和を、ＭａｘＰｏｗｅｒ値として、コンフィギュレーションデスクリプタの中に格納し、ＰＣ１９（ホスト）へ送る。
【０１２８】
Ｓ５２では、ＵＳＢｉ／ｆ１８を介して、ホストから許可されると、Ｓ５３では、許可されたＭａｘＰｏｗｅｒ値に見合う起動要因検知部の電源を、ＵＳＢ電源へ接続することができ、全ての起動要因検知部に対して行う。すなわち、スイッチ部４２を制御し、全ての検知部の電源を、ＵＳＢｉ／ｆ１８のＶＢＵＳ線へ接続し、本制御を終了する。
【０１２９】
一方、Ｓ５２では、ＵＳＢｉ／ｆ１８を介して、ホストから拒否されると、Ｓ５４では、Ｓ５１で送付したＭａｘＰｏｗｅｒ値よりも小さいＭａｘＰｏｗｅｒ値を設定する。すなわち、上記「小さいＭａｘＰｏｗｅｒ値」は、起動要因検知部４１の検知部３を除いた、検知部１、検知部２がそれぞれ動作するに必要な消費電流値の和である。
【０１３０】
Ｓ５５では、先にＳ５４で設定した小さいＭａｘＰｏｗｅｒ値は、０ではないので、Ｓ５６では、設定した小さいＭａｘＰｏｗｅｒ値を、コンフィギュレーションデスクリプタの中に格納し、ＰＣ１９（ホスト）へ送る。
【０１３１】
再び、Ｓ５２では、上記小さいＭａｘＰｏｗｅｒ値が、ＵＳＢｉ／ｆ１８を介して、ホストから許可されると、Ｓ５３では、スイッチ部４２を制御し、検知部１、検知部２の電源を、ＵＳＢｉ／ｆ１８のＶＢＵＳ線へ接続し、検知部３の電源を、自己電源１６へ接続し、本制御を終了する。
【０１３２】
一方、Ｓ５２では、小さいＭａｘＰｏｗｅｒ値が、ＵＳＢｉ／ｆ１８を介して、ホストから拒否されると、Ｓ５４では、先に送付した小さいＭａｘＰｏｗｅｒ値よりもさらに小さいＭａｘＰｏｗｅｒ値を設定する。すなわち、上記「さらに小さいＭａｘＰｏｗｅｒ値」は、起動要因検知部４１の検知部２、検知部３を除いた、検知部１が動作するに必要な消費電流値である。
【０１３３】
Ｓ５５では、Ｓ５４で先に設定した「さらに小さいＭａｘＰｏｗｅｒ値」は、０ではないので、Ｓ５６では、設定した「さらに小さいＭａｘＰｏｗｅｒ値」を、コンフィギュレーションデスクリプタの中に格納し、ＰＣ１９（ホスト）へ送る。
【０１３４】
Ｓ５２では、上記「さらに小さいＭａｘＰｏｗｅｒ値」が、ＵＳＢｉ／ｆ１８を介して、ホストから許可されると、Ｓ５３では、スイッチ部４２を制御し、検知部１の電源を、ＵＳＢｉ／ｆ１８のＶＢＵＳ線へ接続し、検知部２、検知部３の電源を、自己電源１６へ接続し、本制御を終了する。
【０１３５】
一方、Ｓ５２において、「さらに小さいＭａｘＰｏｗｅｒ値」が、ＵＳＢｉ／ｆ１８を介して、ホストから拒否されると、Ｓ５４では、先に送付した「さらに小さいＭａｘＰｏｗｅｒ値」よりも小さいＭａｘＰｏｗｅｒ値を設定しようとするが、起動要因検知部４１の設定は、この場合に無いので、Ｓ５５では、ＭａｘＰｏｗｅｒ値＝０となり、Ｓ５７では、スイッチ部４２を制御し、全ての起動要因検知部の電源を、自己電源１６へ接続し、本制御を終了する。
【０１３６】
実施例７によれば、入出力装置１０において、省電力スタンバイ状態時に、ＰＣ等の電子装置（ホスト）とコンフィギュレーションデスクリプタとのＭａｘＰｏｗｅｒ値を、ＰＣが供給可能な最適な値にしてやり取りするので、起動要因検知部の電源を、ホストのＵＳＢ電源から可能な限り取ることができ、可能でなければ（起動要因検知部の電源を、ホストのＵＳＢ電源から取ることができなければ）、自己電源から取ることができるので、効率よく省電力スタンバイ状態を実現することができる。
【図面の簡単な説明】
【０１３７】
【図１】本発明の実施例１である画像処理装置１００の要部の構成を示すブロック図である。
【図２】実施例１における電圧供給状態と各電圧供給制御信号との関係を示すタイミングチャートである。
【図３】実施例１において、画像処理装置のメインＣＰＵ３０７が、プログラムに基づいて実行し、また省エネスタンバイ時電圧制御部３１８が、プログラムまたは内蔵論理回路に基づいて実行する動作を示すフローチャートである。
【図４】従来の入出力装置１０ｐを示すブロック図である。
【図５】本発明の実施例６である入出力装置１０を示すブロック図である。
【図６】本発明の実施例６における制御の流れを示すフローチャートであり、ＵＳＢ設定動作の一部を示す。
【図７】実施例７である入出力装置１０における自己電源１６、ＵＳＢｉ／ｆ１８、起動要因検知部４１、スイッチ部４２を示すブロック図である。
【図８】本発明の実施例７の制御動作を示すフローチャートであり、ＵＳＢ設定動作の一部を示すフローチャートである。
【符号の説明】
【０１３８】
１００…画像処理装置、
３０１…イメージセンサ、
３０２…Ａ／Ｄ変換部、
３０３…画像処理部、
３０４…ＲＡＭ、
３０５…記録処理部、
３０６…記録装置、
３０７…ＣＰＵ、
３０８…イメージセンサ制御部、
３０９…ＲＯＭ、
３１０…通信部、
３１１…操作部・センサ、
３１２…モータ、
３１３…モータ制御部、
３１４…操作部・センサ制御部、
３１５…子電話、
３１６…スキャナ・ＦＡＸ起動要因監視部、
３１７…起動要因監視部電圧供給部、
３１８…省エネスタンバイ時電圧制御部、
３１９…メイン電源オンオフ制御部、
３２０…ＵＳＢ  Ｉ／Ｆ部、
３２１…ＵＳＢバスパワー検知部、
３２２…ＵＳＢ起動要因監視部。
【図１】
2005278110.tif 000003
【図２】
2005278110.tif 000004
【図３】
2005278110.tif 000005
【図４】
2005278110.tif 000006
【図５】
2005278110.tif 000007
【図６】
2005278110.tif 000008
【図７】
2005278110.tif 000009
【図８】
2005278110.tif 000010